(57)【要約】【課題】朽ちた古木の質感や摩耗によって表面凸部が平らになった石肌などを再現できる天然材風擬物を提供する。【解決手段】基材の表面に凹部と凸部が形成されて肌理となされ、この凹部の明度又は彩度又は色相が凸部と異なるようになされたもので、天然材の風合いを醸し出す。又、基材の表面に複数の塗膜層が重ねて形成され、表面側の塗膜層が凹部を除いて除去され、凹部の明度又は彩度又は色相が凸部と異なるようになされれば、凹部に形成される塗膜層が凸部に形成される塗膜層と異なるので、肌理に沿った天然材に近い複雑な色彩が再現しやすく、塗膜の重なりによる深みのある仕上がりとなる。【選択図】　　　　図１
2004010431.tif 000002
【特許請求の範囲】
【請求項１】
基材の表面に凹部と凸部が形成されて肌理となされ、この凹部の明度又は彩度又は色相が凸部と異なるようになされたことを特徴とする天然材風擬物。
【請求項２】
基材の表面に複数の塗膜層が重ねて形成され、表面側の塗膜層が凹部を除いて除去され、凹部の明度又は彩度又は色相が凸部と異なるようになされたことを特徴とする請求項１記載の天然材風擬物。
【請求項３】
コンクリートから製せられた基材の表面に塗膜層が形成され、この塗膜層が凹部を除いて除去され、凹部の明度又は彩度又は色相が凸部と異なるようになされたことを特徴とする請求項１記載の天然材風擬物。
【請求項４】
コンクリートから製せられた基材の表面に複数の塗膜層が重ねて形成され、表面側の塗膜層が凹部を除いて除去され、凹部の明度又は彩度又は色相が凸部と異なるようになされたことを特徴とする請求項１記載の天然材風擬物。
【請求項５】
顔料が混練されたコンクリートから製せられた基材の表面に塗膜層が形成され、この塗膜層が凹部を除いて除去され、凹部の明度又は彩度又は色相が凸部と異なるようになされたことを特徴とする請求項１記載の天然材風擬物。
【請求項６】
顔料が混練されたコンクリートから製せられた基材の表面に複数の塗膜層が重ねて形成され、表面側の塗膜層が凹部を除いて除去され、凹部の明度又は彩度又は色相が凸部と異なるようになされたことを特徴とする請求項１記載の天然材風擬物。
【発明の詳細な説明】
【０００１】
【発明の属する技術分野】
本発明は、住宅の外構、庭、公園、街路、遊園地などに主として配設される擬石や擬木などのコンクリート擬物に関する。
【０００２】
【従来の技術】
従来、擬木や擬石としてコンクリート製やプラスチック製のものが知られている。例えば特開平２００１−３００９１２号公報には、型枠の内側面に色彩の異なる複数の着色離型剤の流動層を形成し、前記型枠の内側に顔料が混合された着色コンクリートを流し込み成型する擬石が提案されている。又、特開平８−２３０３９８号公報には、表層部が木粉が配合された合成樹脂から形成され、表層部の表面に凹凸状木目模様が形成され、表層部の表面が焼かれて焦げ目が付けられ、表面に焼き杉模様が形成された擬木が提案されている。
【０００３】
【発明が解決しようとする課題】
しかしながら上記の如き、型枠の内側面に色彩の異なる複数の着色離型剤の流動層を形成し、前記型枠の内側に顔料が混合された着色コンクリートを流し込み成型する擬石においては、色むらがでるが、表面の石肌と一致せず不自然であり、流し込む材料に顔料を練り混ぜておくことで更に色相に幅を持たせることができるが、セメントなど水和反応の際に消石灰が生成される材料を使用した場合、成型品には保護層が無く白華しやすく、耐久性が劣るという問題があった。表層部が木粉が配合された合成樹脂から形成され、表層部の表面に凹凸状木目模様が形成され、表層部の表面が焼かれて焦げ目が付けられ、表面に焼き杉模様が形成された擬木においては、焼き杉のように、凸部が基材と異なる色彩の素材には好適であるが、古木のように苔や黴などにより凹部が汚れている素材を擬するのは困難であった。
【０００４】
そこで本発明者は従来の欠点に鑑み鋭意研究の結果、朽ちた古木の質感や摩耗によって表面凸部が平らになった石肌などを再現できる天然材風擬物を提供するものである。
【０００５】
【課題を解決するための手段】
本発明請求項１における天然材風擬物は、基材の表面に凹部と凸部が形成されて肌理となされ、この凹部の明度又は彩度又は色相が凸部と異なるようになされたもので、天然材の風合いを醸し出す。本発明における天然材とは、木や石あるいはレンガなどを総称するものである。
【０００６】
本発明請求項２における天然材風擬物は、基材の表面に複数の塗膜層が重ねて形成され、表面側の塗膜層が凹部を除いて除去され、凹部の明度又は彩度又は色相が凸部と異なるようになされたもので、凹部に形成される塗膜層が凸部に形成される塗膜層と異なるので、肌理に沿った天然材に近い複雑な色彩が再現しやすく、塗膜の重なりによる深みのある仕上がりとなる。
【０００７】
本発明請求項３における天然材風擬物は、コンクリートから製せられた基材の表面に塗膜層が形成され、この塗膜層が凹部を除いて除去され、凹部の明度又は彩度又は色相が凸部と異なるようになされたもので、コンクリート基材の色彩と凹部に形成される塗膜層との色彩の差により、天然材の風合いを醸し出す。
【０００８】
本発明請求項４における天然材風擬物は、コンクリートから製せられた基材の表面に複数の塗膜層が重ねて形成され、表面側の塗膜層が凹部を除いて除去され、凹部の明度又は彩度又は色相が凸部と異なるようになされたもので、凹部に形成される塗膜層が凸部に形成される塗膜層と異なるので、肌理に沿った天然材に近い複雑な色彩が再現しやすく、塗膜の重なりによる深みのある仕上がりとなる。
【０００９】
本発明請求項５における天然材風擬物は、顔料が混練されたコンクリートから製せられた基材の表面に塗膜層が形成され、この塗膜層が凹部を除いて除去され、凹部の明度又は彩度又は色相が凸部と異なるようになされたもので、凸部のコンクリート基材が摩耗したときもコンクリート基材の色彩及び凹部の塗膜層の色彩により違和感が少ない。
【００１０】
本発明請求項６における天然材風擬物は顔料が混練されたコンクリートから製せられた基材の表面に複数の塗膜層が重ねて形成され、表面側の塗膜層が凹部を除いて除去され、凹部の明度又は彩度又は色相が凸部と異なるようになされたもので、凹部に形成される塗膜層が凸部に形成される塗膜層と異なるので、肌理に沿った天然材に近い複雑な色彩が再現しやすく、塗膜の重なりによる深みのある仕上がりとなる。又、凸部の塗膜が剥離したときもコンクリート基材の色彩及び凹部の塗膜の色彩により違和感が少ない。
【００１１】
【発明の実施の形態】
以下、図面を参照しながら本発明に付いて説明する。
図１は本発明天然材風擬物の実施形態の一例を示す断面図である。
図において基材１１の表面には凹部１２と凸部１３が形成されて木や石などの天然材の木肌や石目を擬した肌理となされている。この基材１１の表面にはシーラーが塗布され、このシーラー層１６の表面に第１の塗膜層１４と第２の塗膜層１５が形成されている。第２の塗膜層１５は第１の塗膜層１４の上に塗料を塗布し、乾燥硬化する前に凹部１２を除いた部分の塗料をウエス等でふき取って形成する。
【００１２】
次ぎに本発明天然材風擬物の作り方の一例について図２を基に説明する。
図に於いて２は木ブロックであり、この木ブロックを母型にしてコンクリート製の擬木１を作るときの例について説明する。木ブロックは木を矩形に裁断したものが用いられるが、朽ちた古木が用いられれば、アンティックな風合いの擬木となり好適である。
【００１３】
底部と４側面に板状体３を配設した外型枠を設け、この外型枠内に前記した木ブロックを底面に接して配設し、外型枠内にシリコンラバーやウレタンラバーなどの２液硬化型のエラストマー４を注入する。硬化した後、このエラストマー４を外型枠から取り出し、ナイフなどのカッターで切断、分割し、木ブロックを取り出して型枠５とする。
【００１４】
前記型枠５の分割面を合わせ、底部からコンクリートを注入し、コンクリートが硬化した後型枠５を分割すれば、表面に古木の木肌が形成された基材１１が得られる。基材１１の表面が乾燥しているのを確認した後、汚れなどの表面の付着物を除去し、基材１１の表面に水性型シーラー又は溶剤型シーラーなどのシーラーを均一に塗布してシーラー層１６を形成する。塗布したシーラーの乾燥後このシーラー層１６の上に塗料を塗布し、乾燥させて第１の塗膜層１４を形成する。この第１の塗膜層１４上に第１の塗膜と色彩の異なる塗料を塗布し、この塗料が未乾燥の間にウエス等で全体を拭き取ると凹部１２に塗料が残溜し易く、又、凹部１２には塗料を刷り込むようにした後乾燥させ第２の塗膜層１５を形成する。このように第１の塗膜層１４と第２の塗膜層１５が形成されれば、凹部１２とその他の部分（凸部）の色彩が異なり、天然材の風合いを醸し出す。この例におけるシーラーは第１の塗膜層１４及び第２の塗膜層１５を構成する塗料の基材１１への吸い込みを調整し、塗料の付着強度の向上、基材１１表層の補強、基材１１からのアルカリ物質の滲出を防止するのに好適である。
【００１５】
前記したコンクリートは通常のコンクリートでもよいが、第１の塗膜層１４に類似する色調となるような配合で顔料を混練しておけば、第１の塗膜層１４が破損し基材１１が露出したときも違和感がない。又、シーラーとして透明のものを用いれば、基材１１の色相を第１の塗膜に変えて擬物を構成することもできる。又、本発明に於いて用いられる塗料としては、合成樹脂エマルジョン塗料が好適に用いられる。塗料を構成する合成樹脂としては、アクリル樹脂、酢酸ビニル樹脂、ポリウレタン、シリコン樹脂、フッ素樹脂などの合成樹脂が好適に用いらっれる。
【００１６】
天然材風擬物の一例として古木をモチーフとした擬木について前記したが、本発明天然材風擬物は擬木に限るものではなく、天然の石を擬した擬石やレンガを擬したものなど適宜素材をモチーフとして作製されればよい。
【００１７】
次ぎに本発明天然材風擬物の使用例を図３、図４、図５をもとに説明する。
図３は遊歩道を俯瞰した鳥瞰図であり、本発明における擬木１を４枚一組に組み合わせて舗石となされている。図４は本発明における擬木１からなるガーデンファニチャーであり、板状の擬木１と柱状の擬木１が組み合わせられてテーブルとベンチとなされている。図５は本発明における擬木１を土留めとし、この土留めによる花壇の構成例を示すものである。この例の擬木においては、、コンクリート基材には補強鉄筋が基材１１内に配設され、基材１１が補強されているが、特に高強度を要しないときは無筋でもよい。
【００１８】
【発明の効果】
上述の如く、本発明請求項１における天然材風擬物は、基材の表面に凹部と凸部が形成されて肌理となされ、この凹部の明度又は彩度又は色相が凸部と異なるようになされたもので、天然材の風合いを醸し出し、天然の木、石、あるいはレンガと変わらない外観の擬木や擬石などの擬物を容易に提供することができる。
【００１９】
又、本発明請求項２における天然材風擬物は、基材の表面に複数の塗膜層が重ねて形成され、表面側の塗膜層が凹部を除いて除去され、凹部の明度又は彩度又は色相が凸部と異なるようになされたもので、凹部に形成される塗膜層が凸部に形成される塗膜層と異なるので、天然材に近い複雑な色彩が再現しやすく、塗膜層の重なりによる深みのある仕上がりとなる。又、複数の塗膜層が形成されているので、摩耗などによる塗膜の劣化が少ない。
【００２０】
又、本発明請求項３における天然材風擬物は、コンクリートから製せられた基材の表面に塗膜層が形成され、この塗膜層が凹部を除いて除去され、凹部の明度又は彩度又は色相が凸部と異なるようになされたもので、コンクリート基材の色彩と凹部に形成される塗膜層との色彩の差により、天然材の風合いを醸し出す。
【００２１】
又、本発明請求項４における天然材風擬物は、コンクリートから製せられた基材の表面に複数の塗膜層が重ねて形成され、表面側の塗膜層が凹部を除いて除去され、凹部の明度又は彩度又は色相が凸部と異なるようになされたもので、凹部に形成される塗膜層が凸部に形成される塗膜層と異なるので、肌理に沿った天然材に近い複雑な色彩が再現しやすく、塗膜の重なりによる深みのある仕上がりとなる。
【００２２】
又、本発明請求項５における天然材風擬物は、顔料が混練されたコンクリートから製せられた基材の表面に塗膜層が形成され、この塗膜層が凹部を除いて除去され、凹部の明度又は彩度又は色相が凸部と異なるようになされたもので、凸部のコンクリート基材が摩耗したときもコンクリート基材の色彩及び凹部の塗膜層の色彩により違和感が少ない。
【００２３】
又、本発明請求項６における天然材風擬物は顔料が混練されたコンクリートから製せられた基材の表面に複数の塗膜層が重ねて形成され、表面側の塗膜層が凹部を除いて除去され、凹部の明度又は彩度又は色相が凸部と異なるようになされたもので、凹部に形成される塗膜層が凸部に形成される塗膜層と異なるので、肌理に沿った天然材に近い複雑な色彩が再現しやすく、塗膜の重なりによる深みのある仕上がりとなる。又、凸部の塗膜が剥離したときもコンクリート基材の色彩及び凹部の塗膜の色彩により違和感が少ない。
【図面の簡単な説明】
【図１】本発明天然材風擬物の実施形態の一例を示す断面図である。
【図２】本発明天然材風擬物の作り方の一例を示す斜視図である。
【図３】本発明天然材風擬物の使用例を示す鳥瞰図である。
【図４】本発明天然材風擬物の使用例を示す斜視図である。
【図５】本発明天然材風擬物の使用例を示す斜視図である。
【符号の説明】
１　　天然材風擬物（擬木）
１１　基材
１２　凹部
１３　凸部
１４　第１の塗膜層
１５　第２の塗膜層
１６　シーラー層
２　　木ブロック
３　　板状体
４　　エラストマー
５　　型枠
【図１】
2004010431.tif 000003
【図２】
2004010431.tif 000004
【図３】
2004010431.tif 000005
【図４】
2004010431.tif 000006
【図５】
2004010431.tif 000007